(57)【要約】    【課題】  循環風路の入口を開閉するダンパを備えた暖房装置において、ダンパ位置の異常を検知する。    【解決手段】  ファンを備えた暖房換気扇１であって、ファンが生成した空気流を流す循環風路２３と、循環風路の入口２３ａを開閉するダンパ２５と、循環風路２３中に設けられ、内部を通過する空気を加熱するためのヒータ２６と、ダンパ２５が、循環風路２３の入口を開けた状態と閉じた状態との中間の状態にあるとき、ヒータ２６を通過する空気流の速度が速くなる位置の近傍に配置された第１第１サーミスタ２７ａと、ヒータ２６を通過する空気流の速度が遅くなる位置の近傍に配置された第２サーミスタ２７ｂと、第１第１サーミスタ２７ａ、２７ｂの出力に基づいて、ダンバ２５位置異常を検知するダンパ位置異常検知手段とを備える。    【選択図】  図９
2007064567.tif 000002
【特許請求の範囲】
【請求項１】
吸込口及び２つの吹出口が形成された本体と、
前記本体内に設けられ、前記吸込口から空気を吸引し、各吹出口から空気を吹出すファンと、
前記ファンから吹出された空気を、前記吹出口のそれぞれに連通する風路のいずれかに導くように移動可能に上記本体内に設けられたダンパと、
前記ダンパ下流で、かつ前記いずれかの風路の内部に設けられ、空気を加熱するヒータと、
前記ヒータの近傍で、前記ヒータを挟んで相対向するように設けられた第１及び第２温度センサと、
前記ダンパを前記風路が択一的に選択されるように切替える制御手段とを備え、
前記制御手段は、前記第1及び第２温度センサで検知する温度の差が所定値以上で装置の異常と判定するよう構成するとともに、前記ダンパが各風路の切替位置の中間にある時に前記温度差が所定値以上となるような空気流を作り出すよう構成されていることを特徴とする暖房装置。
【請求項２】
前記ダンパは前記吸込口側の基端が枢支され、前記吹出口側の端部が自由端となるように構成され、
前記ヒータが設けられる風路は前記ファンから前記吹出口に向け屈曲して形成されているとともに、
該ヒータは前記風路の屈曲部近傍の下流に設けられ、
前記第１温度センサが断面視で前記風路の内周側に設けられ、前記第２温度センサが前期風路の外周側に設けられていることを特徴とする請求項１記載の暖房装置。
【請求項３】
前記ダンパは、略扇形の一対の側面板と、前記側面板の弧に沿って湾曲した正面板とから構成され、前記ダンパが前記中間位置で停止した場合には、前記正面板の作用によって前記ファンから吹出された空気流が前記第１温度センサに志向するように構成されていることを特徴とする請求項２記載の暖房装置。
【請求項４】
前記ダンパは、前記ヒータが設けられた風路を開放した正常位置で、略扇形の下端面が水平もしくは水平より下方の位置となるように設けられていることを特徴とする請求項３記載の暖房装置。
【請求項５】
前記制御手段は、前記第２温度センサが検知する温度が、前記第１温度センサが検知するに対して所定値以上の高温となっている場合のみ異常と判定することを特徴とする請求項１乃至４のいずれかに記載の暖房装置。
【請求項６】
前記ヒータが設けられた風路入口を、前記ヒータに対し前記吸込口側にオフセットさせて設けるととともに、該入口から前記ヒータ側部までを繋ぐ風路壁を前記第２温度センサに空気が流れやすいように志向する傾斜面として構成したことを特徴とする請求項２乃至５のいずれかに記載の暖房装置。
【請求項７】
前記制御手段は、前記ダンパが中間位置で停止した場合に、前記ヒータの運転を停止することを特徴とする請求項１乃至６のいずれかに記載の暖房装置。
【請求項８】
前記制御手段は、前記ヒータの運転を停止した後、前記ダンパを正常位置に移動させ、再度前記ヒータの運転を開始させるよう制御するとともに、再度前記ダンパが中間位置で停止した場合に、前記暖房装置の運転を中止することを特徴とする請求項７記載の暖房装置。
【発明の詳細な説明】
【技術分野】
【０００１】
本発明は、暖房装置に関し、特に暖房装置内のダンパ位置の異常を検知する技術に関する。
【背景技術】
【０００２】
浴室天井などに取り付けられて、室内へ温風を供給するまたは換気を行う浴室換気乾燥機が、特許文献１に記載されている。この浴室換気乾燥機は、浴室内への空気を循環させるか、あるいは外部へ排気させるかを、ダンパを用いて切り替えている。
【特許文献１】特開平７−１７１７２９９号公報
【発明の開示】
【発明が解決しようとする課題】
【０００３】
ところで、ダンパの異物噛み込みや、ダンパを駆動するモータの不具合などにより、排気風路及び循環風路の両方に空気が流れ込むような位置でダンパが停止してしまうことがある。この状態のまま運転を継続すると、特に暖房運転の際に問題となる可能性がある。すなわち、暖房運転の際に循環風路へ流れ込む空気流の風量が減少し、吹出口から所望の風量が得られなくなり、暖房効率が低下してしまう。また、ヒータの場所により、ヒータを通過する空気の風量にムラが生じると、ヒータの一部分（風量の少ない部分）で空気との熱交換が行なわれないため、ヒータ温度が異常上昇するといった問題がある。
【０００４】
本発明の目的は、内部にヒータが設けられた風路を開閉するダンパを備えた暖房装置において、ダンパ位置の異常を検知することである。
【課題を解決するための手段】
【０００５】
本発明の一実施態様に従う暖房装置は、吸込口及び２つの吹出口が形成された本体と、前記本体内に設けられ、前記吸込口から空気を吸引し、各吹出口から空気を吹出すファンと、前記ファンから吹出された空気を、前記吹出口のそれぞれに連通する風路のいずれかに導くように移動可能に上記本体内に設けられたダンパと、前記ダンパ下流で、かつ前記いずれかの風路の内部に設けられ、空気を加熱するヒータと、前記ヒータの近傍に、前記ヒータを挟んで相対向するように設けられた第１及び第２温度センサと、前記ダンパを前記風路が択一的に選択されるように切替える制御手段とを備え、前記制御手段は、前記第1及び第２温度センサで検知する温度の差が所定値以上で装置の異常と判定するよう構成するとともに、前記ダンパが各風路の切替位置の中間にある時に前記温度差が所定値以上となるような空気流を作り出すよう構成されている。
【０００６】
これにより、ダンパ位置が本来の正常動作のときとは異なる中間の異常位置にある場合は積極的に空気流がヒータの一側に集中して流れるように構成しているため、高価なセンサや信頼性の高い部品を用いることなく、ヒータ近傍で相対向する位置の温度を計測するという極めて簡単な構成で、確実にダンパ位置が本来の位置にないことを検知できる。
【０００７】
さらに好適な実施形態では、ダンパは吸込口側の基端が枢支され、吹出口側の端部が自由端となるように構成され、ヒータが設けられる風路はファンから吹出口に向け屈曲して形成されているとともに、ヒータは風路の屈曲部近傍の下流に設けられ、第１温度センサが断面視で風路の内周側に設けられ、第２温度センサが風路の外周側に設けられている。
【０００８】
これにより、ダンパが中間位置で停止した場合に、ファンから吹出された空気は、第２温度センサ側への流れが抑制される一方、積極的に第１温度センサ側に向けられる。したがって第２温度センサ近傍ではヒータと空気との熱交換が鈍化するためヒータ表面温度が上昇し、反対に第１温度センサ近傍ではヒータと空気との熱交換が促進されるためヒータ表面温度が低下し、ヒータ表面温度にムラが発生する。この温度ムラを両温度センサが検知した温度の差として検知し、ダンパが中間位置にあることを的確に判定できる。
【０００９】
また、ヒータが設けられる風路はファンから吹出口に向け屈曲して形成されているため、ダンパが当該風路を完全に開放している正常位置にある場合には、ファンから吹出された空気は屈曲率の小さい外周側で流速が大きくなる。
【００１０】
さらに好適な実施形態では、ダンパは、略扇形の一対の側面板と、側面板の弧に沿って湾曲した正面板とから構成され、ダンパが中間位置で停止した場合には、正面板の作用によって空気が第１温度センサに志向するように構成されている。
【００１１】
これにより、正面板に衝突した空気は円弧面にガイドされながら第１温度センサ側へ流れるようになる一方で、第２温度センサ側への流れは一層抑制されるようになるため、第２温度センサ近傍の空気とヒータの熱交換が鈍化し、第２温度センサは高温を示すことになる。よって、本形態に基づけば異常状態を一層確実に判定することができるため、空気の流れという複雑なものに大きく左右される温度差による判定であっても、確実かつ早期に、ダンパが中間位置にあることを簡単な構成で検知できる。
【００１２】
さらに好適な実施形態では、ダンパは、ヒータが設けられた風路を開放した正常位置で略扇形の下端面が水平もしくは水平より下方の位置となるように設けられている。
【００１３】
これにより、ヒータが設けられた風路を略開放したような位置で停止した場合は、最もヒータの対向部で温度差が生じにくい構造となり判定が困難になる。しかし、ダンパの正常位置を略扇形の下端面が水平もしくは水平より下方となるような位置とすることで、このような異常状態であっても正面板に衝突した空気は円弧面にガイドされながら第１温度センサ側へ積極的に空気が流れるようになる一方で、第２温度センサ側への流れは抑制されるように作用する。したがって、温度差で検知することが難しい位置での停止でも確実に、かつ早期に異常を検知できる。
【００１４】
さらに好適な実施形態では、第２温度センサが第１温度センサに対して所定値以上の高温となっている温度差の時のみ異常と判断するように構成されている。
【００１５】
これにより、正常時に誤って温度差異常として誤判定されることがないようにしたものである。すなわち、空気の流れは複雑であるため、ヒータの熱交換量は場所によってムラを生じ易いが、このムラが生じると正常時でも異常と誤判定する恐れがある。このムラを防止して正常時は常にヒータと空気との熱交換量がヒータ全体で均一となるよう空気を当てることは極めて困難なことである。そこで、本形態によっては正常時にも積極的に温度ムラを安定した位置に作り出し、この微小な温度差を異常と判定することがないようにする一方で、異常時には、その温度ムラの分布を逆転させこれを異常と判定できるように工夫したものである。すなわち、ダンパの構造、第１温度センサと第２温度センサの位置を工夫することで、正常時は第２温度センサ側への空気流が多くなるようにすることで第１温度センサ側のヒータ表面温度が高くなるよう安定させ、この状態を異常とは判定しない。一方、ダンパ位置の異常が生じた場合は、反対に第２温度センサ側が第１温度センサ側より高くなるように安定させ、これを異常と判定することで、温度差をみるという簡単な方法でも誤判定なく的確に異常検知できるようにしたものである。
【００１６】
さらに好適な実施形態では、ヒータに対してヒータが設けられた風路の入口を吸込口側にオフセットさせて設けるととともに、該入口とヒータまでを繋ぐ風路壁を前記第２温度センサに空気が流れやすいように志向する傾斜面として構成した。
【００１７】
これにより、正常時は一層第２温度センサ側に空気が流れるようになるため、常に第２温度センサ側のヒータは熱交換量が多くなり、第１温度センサより検知温度を低く抑えることができる。よって、誤って正常状態に第２温度センサ側に温度が高くなって異常と判定してしまう恐れを防止できる。
【００１８】
さらに好適な実施形態として、制御手段は、ダンパが中間位置で停止した場合に、ヒータの運転を停止させることとした。
【００１９】
これにより、ヒータ周辺の過熱を防止することができる。
【００２０】
さらに好適な実施形態として、制御手段は、ヒータの運転を停止した後、ダンパを正常位置に移動させ、再度ヒータの運転を開始させるよう制御するとともに、再度ダンパが中間位置で停止した場合に、暖房装置の運転を中止することとした。
【発明を実施するための最良の形態】
【００２１】
以下、本発明の一実施形態に係る暖房換気扇について、図面を参照して説明する。
【００２２】
図１は、本実施形態に係る暖房換気扇１を浴室８に取り付けたときの浴室暖房換気システムの構成を示す図である。暖房換気扇１は、浴室８内の暖房または換気を行う空調装置である。
【００２３】
同図に示すように、浴槽９を備えた浴室８の天井に暖房換気扇１が取り付けられている。そして、脱衣室７の壁面に暖房換気扇１のリモコン３が取り付けられている。暖房換気扇１は、リモコン３が受け付けた操作に従って、運転（換気、暖房）及び停止の動作を行う。
【００２４】
図２は、リモコン３の一例を示す。
【００２５】
リモコン３は、表面の操作部３０に停止ボタン３１と、換気ボタン３２と、暖房ボタン３３とを備える。換気ボタン３２が押されると、暖房換気扇１は浴室８内の空気を屋外へ排出する換気運転を行う。換気運転には、連続運転とタイマー運転とがあり、換気ボタン３２が押されるたびに切り替わる。暖房ボタン３３が押されると、暖房換気扇１は浴室８内の空気を加熱する暖房運転を行う。
【００２６】
図３に暖房換気扇１の外観を示す。同図（ａ）は暖房換気扇１の背面側斜視図であり、同図（ｂ）は暖房換気扇１の正面側斜視図である。
【００２７】
暖房換気扇１は、正面側のグリル１１と、背面及び側面を覆うケース１２とを備えている。
【００２８】
図３（ａ）に示すように、ケース１２の側面には、換気時に空気を排出するための排気ダクト１３が設けられている。さらに、ケース１２の背面の開口部には、ケース１２内部に収容されているファンを回転させるためのファンモータ１４が露出している。
【００２９】
さらに、同図（ｂ）に示すように、グリル１１には、浴室内の空気を吸い込む吸込口１５と、暖房運転の際に加熱した空気を吹き出す吹出口１６とが設けられている。
【００３０】
図４に、グリル１１を取り外した暖房換気扇１の正面図を示す。
【００３１】
ケース１２内部には、ファンモータ１４により回転させられるファン２１と、暖房運転時に空気を加熱するヒータ２６とが内蔵されている。ファン２１は吸込口１５の上部に、ヒータ２６は吹出口１６の上部に配置されている。ファン２１が回転すると浴室内の空気が吸込口１５から吸い込まれる。暖房運転の際には、ファン２１で吸い込まれた空気がヒータ２６を通過して紙面奥から手前へ吹き出してくる。
【００３２】
ヒータ２６は、後述する循環風路２４内で、循環風路２４の断面領域のほぼ全域を覆うように、平面的な広がりをもって配置されている。ヒータ２６は、本実施形態では、循環風路２４の出口２４ｂ近辺に設けられている。
【００３３】
ヒータ２６は、５つのＰＴＣヒータ２６１〜２６５からなる。各ＰＴＣヒータ２６１〜２６５はそれぞれ独立に通電、発熱し、通過する空気と熱交換を行なうことで空気を加熱する。
【００３４】
また、ヒータ２６の周囲には、ヒータ２６周辺の空気の温度を計測するサーミスタ２７が取り付けられている。図４の例では、第１サーミスタ２７ａがファン２１に最も近いＰＴＣヒータ２６５の隣に、第２サーミスタ２７ｂがファン２１から最も遠いＰＴＣヒータ２６１の隣に、ヒータ２６を挟んで対向する位置に配置されている。これは、後述するように、ダンパが異常位置にある際にヒータ２６を通過する空気の風量が最も大きい部分（ＰＴＣヒータ２６５近傍）と最も小さい部分（ＰＴＣヒータ２６１近傍）の近傍にそれぞれ取り付けられている。
【００３５】
次に、図５に、暖房換気扇１のＡ−Ａの概略断面図を示す。図５（ａ）は、換気運転を行う際の断面図であり、（ｂ）は暖房運転を行う際の断面図である。
【００３６】
ケース１２で囲われた暖房換気扇１の内部空間には、前述のファン２１及びヒータ２６の他に、ファン２１から送り出される空気流が流れ込む内部風路２２と、内部風路２２の下流に設けられ、排気ダクト１３へ空気を排出するための排気風路２３と、内部風路２２の下流に設けられ、吹出口１６へ空気を排出するための循環風路２４と、排気風路２３及び循環風路２４の入口２３ａ，２４ａを開閉し、排気風路２３へ空気を排出させるか、または循環風路２４へ空気を排出させるかの切り替えを行うダンパ２５と、暖房換気扇１の運転制御及びダンパ２５の切り替え及びダンパ２５の位置異常の検知を行う制御部２８とを備える。循環風路２４は、循環風路２４の入口２４ａからヒータ２６の側部へ傾斜する風路壁２４１にて形成されており、入口２４ａはヒータ２６に対して吸込口１５側へオフセットされて形成されている。
【００３７】
ファン２１は、吸込口１５から浴室内の空気を吸引し、空気流を生成して内部風路２２へ送り込む。
【００３８】
ここで、図６にダンパ２５の構成を示す。
【００３９】
ダンパ２５は、略扇形の同一形状の２枚の側面板２５１、２５１と、側面板２５１，２５１の間に設けられた矩形の正面板２５２とを有する。正面板２５２は、側面板２５１，２５１の扇形の弧に沿って湾曲している。側面板２５１，２５１の扇形の要の位置には回転軸２５ａが設けられている。そして、ダンパ２５は、回転軸２５ａを中心として、内部風路２２内で揺動可能に取り付けられている。すなわち、ダンパ２５は、正面板２５２が循環風路入口２４ａを塞ぐ位置（図５（ａ）の場合）と、排気風路入口２３ａを塞ぐ位置（図５（ｂ）の場合）との間で揺動可能である。
【００４０】
再び図５を参照すると、上記構成を備えたダンパ２５が、ファン２１の下流側で、扇形の弧をさらに下流に向け、回転軸２５ａを中心に回動可能に取り付けられている。そして、図５（ａ）に示す換気運転の際は、ダンパ２５は、正面板２５２が循環風路２４の入口２４ａを塞ぎ、排気風路入口２３ａを開放する位置にある。従って、ファン２１により生成され、内部風路２２に流れ込んだ空気は、排気風路２３を介して排気ダクト１３から排出される。
【００４１】
一方、図５（ｂ）に示す暖房運転の際は、ダンパ２５が排気風路２３側に位置する。つまり、このとき、ダンパ２５は、正面板２５２が排気風路入口２３ａを塞ぎ、循環風路入口２４ａを開放する位置にある。さらにこのとき、ダンパ２５の略扇形の側面板２５１の下端面２５１ａは、水平もしくは水平より扇形の弦側がやや下がった位置となる。従って、ファン２１により生成され、内部風路２２に流れ込んだ空気は、内部風路２２から循環風路２４へ向かって屈曲するように流れ込み、ヒータ２６を通過して吹出口１６から浴室内へ排出される。
【００４２】
ここで、図５（ｂ）に示すように、暖房運転時には排気風路入口２３ａが完全に塞がれて、ファン２１から送り込まれるすべての空気が循環風路２４へ流入する。
【００４３】
内部風路２２から循環風路２４にかけて屈曲しているため、空気流は曲率の小さい外周側で流速が速くなる。したがって、ヒータ２６は外周側で空気流との熱交換が促進され、外周側に取り付けられた第２サーミスタ２７ｂの方が、内周側の第１サーミスタ２７ａよりも低い温度を検知することになる。空気は風路壁２４１に沿って第２サーミスタ２７ｂ側へ導かれるため、この傾向はさらに顕著になる。
【００４４】
そこで、制御部２８が行う暖房運転時の運転制御の例を示す。
【００４５】
制御部２８は、例えば、図７に示すように、リモコン３及び第１及び第２サーミスタ２７からの入力を受け付け、ファンモータ１４，ダンパ２５を回動させるダンパモータ１９及びヒータ２６に対する指令を行うように構成されている。そして、制御部２８は、例えば、プロセッサ及びメモリにより構成され、所定のプログラムを実行することにより、図８に示すような制御を行う。
【００４６】
まず、本実施形態では、制御部２８は、ＰＴＣヒータ２６１〜２６５を二つの群に分けて制御する。すなわち、ＰＴＣヒータ２６１，２６４，２６５をＰＴＣヒータ群１とし、ＰＴＣヒータ２６２，２６３をＰＴＣヒータ群２とする。
【００４７】
図８に示すように、暖房運転が開始されると、ＰＴＣヒータ群１、ＰＴＣヒータ群２及びファン２１のすべてに通電され、これらがオン状態になる。これにより、すべてのＰＴＣヒータ２６１〜２６５が加熱されるとともに、ファン２１が回転する。このとき、暖房換気扇１により温風が生成されて、浴室内に温風が流れ込む。
【００４８】
暖房運転を行っている間、制御部２８は、サーミスタ２７の出力に基づいてヒータ２６周辺の温度を監視する。図５（ｂ）に示すように、ダンパ２５が排気風路入口２３ａを塞ぎ、循環風路入口２４ａが完全に開放されている正常時には、上述の通り第２サーミスタ２７ｂ近傍の風量が第１サーミスタ２７ａ近傍より多くなる。したがって第２サーミスタ２７ｂが検知する温度は、第１サーミスタ２７ａより低い値を示しながら推移する。そして、いずれか一方または双方が所定の温度になると、制御部２８は、ＰＴＣヒータ群１の通電を停止する。つまり、ＰＴＣヒータ２６１，２６４，２６５の電源がオフになり、ＰＴＣヒータ２６２，２６３だけ電源オンの状態となる。
【００４９】
こうなると、第１サーミスタ２７ａ及び２７ｂが検知するヒータ２６周辺の温度は一時低下する。しかし、浴室内の温度が上昇するに連れて、再び温度が所定の温度に到達すると、制御部２８は、ＰＴＣヒータ群２についても通電を停止し、電源オフにする。
【００５０】
本実施形態に係る暖房換気扇１は、上述のようにしてヒータ２６及びその周辺部の過熱を防止している。そして、過熱防止のためにＰＴＣヒータ２６１〜２６５への通電をオフした際は、リモコン３で所定のエラー表示を行うようにしてもよい。
【００５１】
上記のような正常運転に対して、図９は、ダンパ２５位置異常の場合のダンパ位置及び空気流を示す。
【００５２】
すなわち、正常な状態では図５（ａ）及び（ｂ）に示すように、ダンパ２５は排気風路入口２３ａまたは循環風路入口２４ａを完全に閉塞する位置になる。しかしながら、ダンパの異物噛み込みや、ダンパを駆動するモータの不具合などにより、図９に示すように、ダンパ２５が排気風路入口２３ａ及び循環風路入口２４ａに跨った中間の位置で停止した状態となってしまうことがある。このとき、ファン２１が吹出した空気は排気風路２３及び循環風路２４に分流する。ここで、特に循環風路２４側に着目すると、ヒータ２６の上面から通過する空気の風量（あるいは流速）にムラがあることがわかる。つまり、第１サーミスタ２７ａ側の空気の風量が第２サーミスタ２７ｂ側よりも多くなっている。
【００５３】
さらに、本実施形態のようなダンパ２５を用いることにより、この傾向はより顕著になる。すなわち、空気流Ｂはダンパ２５の正面板２５２により下方に向きを変えられた空気流Ｃと合流することにより、より第１サーミスタ２７ａ側に偏って流れやすくなる。このため、第１サーミスタ２７ａ及び第２サーミスタ２７ｂが検出する温度の差がより大きくなくなる。従って、本実施形態のように配置された第１及び第２サーミスタ２７の温度差を用いたダンパの異常検出が容易になる。
【００５４】
このような状態で運転をすると、暖房運転の際に特に問題となる。つまり、暖房効率がヒータ２６の第２サーミスタ２７ｂ側に十分な風量がないので、その近傍が過熱状態となるおそれがある。そこで、以下のようにしてダンパ２５位置異常を検知する。
【００５５】
図１０は、図９のように、ダンパ２５が異常位置にある際に暖房運転を行った場合の運転制御を示す。
【００５６】
まず、暖房運転が開始すると、ＰＴＣヒータ群１、ＰＴＣヒータ群２及びファン２１のすべてがオン状態になる。ここで、図９のようにダンパ２５が異常位置のまま暖房運転を続けると、ヒータ２６を通過する空気の風量が多い部分と少ない部分とではヒータ２６の冷却度合いが異なるため、第１サーミスタ２７ａと第２サーミスタ２７ｂが検知する温度に差が生じる。制御部２８は、いずれか温度が高い方が所定の温度となるか、あるいは、２つのサーミスタ２７ａ、２７ｂが検知する温度差が所定値以上となった際に、ダンパ位置異常であると判断し、ＰＴＣヒータ群１、２への通電とファン２１の運転とを中止する。
【００５７】
上記のようにしてダンパ位置異常が検知された際は、エラー（ダンパ位置異常）の発生を報知するため、リモコン３で所定のエラー表示を行うようにしてもよい。この際のエラー表示は、正常運転におけるエラー表示とは異なる態様にするのが好ましい。例えば、換気スイッチ３２横の「タイマー」ランプ及び「連続」ランプを同時に点滅させるようにしてもよい（図２参照）。
【００５８】
図１１は、制御部２８が暖房運転中に所定のタイミングで行う制御シーケンスを示す。なお、以下のシーケンスで用いるフラグＦ及びカウンタＣｔの初期値は、いずれも０である。
【００５９】
制御部２８は、第１サーミスタ２７ａ及び第２サーミスタ２７ｂが出力する情報を読み込む（Ｓ１１）。そして、フラグＦが０であるか否かを判定する（Ｓ１２）。
【００６０】
フラグＦが０である場合は、第２サーミスタ２７ｂが検出する温度Ｔ２と第１サーミスタ２７ａが検出する温度差Ｔ１との温度差（Ｔ２−Ｔ１）が閾値Ｔ０より大きいか否かを判定する（Ｓ１３）。このとき、Ｔ０は所定の正数である。
【００６１】
温度差（Ｔ２−Ｔ１）が閾値Ｔ０より大きくないときは（Ｓ１３：Ｎｏ）、以降のステップをスキップして処理を終了する。
【００６２】
温度差（Ｔ２−Ｔ１）が閾値Ｔ０より大きいときは（Ｓ１３：Ｙｅｓ）、ダンパ異常状態と判定し、制御部２８は異常処理を実行する（Ｓ１４，Ｓ１５）。異常処理とは、すなわち、ヒータ２６への通電の停止、ファン２１の運転の停止及び警報用ランプの点灯などである。
【００６３】
そして、フラグＦに、異常状態を示す１をセットして終了する（Ｓ１６）。この後、制御部２８は、ダンパ位置を動かす制御を行った後、再度暖房運転を行う。
【００６４】
ステップＳ１２でフラグＦ＝１のときは、ステップＳ２１において、第２サーミスタ２７ｂが検出する温度Ｔ２と第１サーミスタ２７ａが検出する温度差Ｔ１との温度差（Ｔ２−Ｔ１）が閾値Ｔ０より大きいか否かを判定する（Ｓ２１）。
【００６５】
ここで、温度差（Ｔ２−Ｔ１）が閾値Ｔ０より大きくないときは（Ｓ２１：Ｎｏ）、異常状態であるとの判定を解除し（Ｓ２２）、システム正常処理を実行して（Ｓ２３）、フラグＦ及び後述するカウンタＣｔに０をセットする（Ｓ２４）。つまり、この場合は、ステップＳ１４での異常検出は一時的なものであり、ダンパ位置を動かす制御を行った後に暖房運転を再開することで、現在は異常状態から復旧したものと判断して運転を継続する。
【００６６】
一方、ステップＳ２１で温度差（Ｔ２−Ｔ１）が閾値Ｔ０より大きいと判断されたときは（Ｓ２１：Ｙｅｓ）、カウンタＣｔをインクリメントして、カウンタＣｔが２より大きいか否かを判定する（Ｓ２５、Ｓ２６）。そして、カウンタＣｔが２より大きい場合には（Ｓ２６：Ｙｅｓ）、異常状態からの復旧が見込めないものと判断して、ヒータ２６への通電及びファン２１の運転を停止した状態のまま、制御部２８の動作を停止する。
【００６７】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【図面の簡単な説明】
【００６８】
【図１】本発明の一実施形態に係る暖房換気扇１を浴室８に取り付けた浴室暖房換気システムの構成を示す。
【図２】リモコン３の一例を示す。
【図３】暖房換気扇１の外観を示す。
【図４】グリル１１を取り外したときの暖房換気扇１の正面図を示す。
【図５】暖房換気扇１のＡ−Ａの概略断面図を示す。
【図６】ダンパ２５の構成を示す。
【図７】制御部２８に対する情報の入出力を示す。
【図８】暖房運転時の運転制御の例を示す。
【図９】ダンパ２５位置異常の場合のダンパ位置及び空気流を示す。
【図１０】ダンパ２５位置異常の場合の運転制御を示す。
【図１１】制御部２８が行う制御シーケンスを示す。
【符号の説明】
【００６９】
１    暖房換気扇
３    リモコン
８    浴室
９    浴槽
２１    ファン
２２    内部風路
２３    排気風路
２４    循環風路
２５    ダンパ
２６    ヒータ
２７    サーミスタ
２８    制御部
【図１】
2007064567.tif 000003
【図２】
2007064567.tif 000004
【図３】
2007064567.tif 000005
【図４】
2007064567.tif 000006
【図５】
2007064567.tif 000007
【図６】
2007064567.tif 000008
【図７】
2007064567.tif 000009
【図８】
2007064567.tif 000010
【図９】
2007064567.tif 000011
【図１０】
2007064567.tif 000012
【図１１】
2007064567.tif 000013